(57)【要約】      （修正有）【課題】ボールを扱う際においては競技者の邪魔になりにくく、ボールを拾う際においては簡単にボールを拾うことができ、収容されたボールをボール拾い部から簡単に取り出すことが可能な球技用スティックを提供する。【解決手段】球技用スティック１は、スティック本体２と、スティック本体２のグリップ２００側の端部に配置され、弧状の線材からなる長弧把持爪３１と、スティック本体２の軸線を挟んで長弧把持爪３１に対向して配置される弧状の線材からなる短弧把持爪３２と、を有するボール拾い部３と、を備えてなる。【選択図】図２
0003144793.tif 000002
【実用新案登録請求の範囲】
【請求項１】
球技の際ボールを扱うためのスティック本体と、
該スティック本体のグリップ側の端部に配置され、弧状の線材からなる長弧把持爪と、該スティック本体の軸線を挟んで該長弧把持爪に対向して配置される弧状の線材からなる短弧把持爪と、を有するボール拾い部と、
を備えてなり、
該ボールを拾う際は、該ボールに対して該ボール拾い部を押しつけることにより、該長弧把持爪の先端と該短弧把持爪の先端との隙間から相対的に該ボールを挿入し、該長弧把持爪と該短弧把持爪とにより弾性的に該ボールを挟み込むことにより、該ボールを拾い上げ、
該ボールを扱う際は、該長弧把持爪に対して、該短弧把持爪を、競技者の身体に近接して配置することにより、該ボール拾い部が該競技者の邪魔になるのを抑制する球技用スティック。
【請求項２】
前記長弧把持爪の前記先端から前記短弧把持爪の前記先端までの全長を１００％として、前記スティック本体の前記軸線は、該短弧把持爪の該先端から４０％以下の位置に配置されている請求項１に記載の球技用スティック。
【請求項３】
前記球技は、マレットゴルフである請求項１または請求項２に記載の球技用スティック。
【考案の詳細な説明】
【技術分野】
【０００１】
本考案は、例えば、マレットゴルフやゲートボールやゴルフやポロなどの球技に用いられる球技用スティックに関する。
【背景技術】
【０００２】
例えば、特許文献１には、ゴルフ用のクラブのグリップ側の端部に装着されるボール拾い装置が開示されている。特許文献１のボール拾い装置によると、立ったままの姿勢で、簡単に、カップインしたボールや、コースアウトしたボールを拾うことができる。このため、腰をかがめたり、あるいはしゃがみ込んだりする動作が困難な、高齢者に便利である。
【特許文献１】特開２００３−３０５１４１号公報
【考案の開示】
【考案が解決しようとする課題】
【０００３】
しかしながら、特許文献１に記載のボール拾い装置は筒状を呈している。このため、拾った後のボールを、ボール拾い装置から取り出しにくい。この点、特許文献１の図４には、１８０°対向位置に切除部を有するボール拾い装置が例示されている。しかしながら、特許文献１の図４のボール拾い装置の場合であっても、切除部以外からは、ボール拾い装置に収容されたボールを、競技者が把持することができない。すなわち、ボール拾い装置からボールを取り出せる場所が、切除部に限定されてしまう。このため、やはり、拾った後のボールを、ボール拾い装置から取り出しにくい。
【０００４】
また、グリップ側の端部にボール拾い装置を配置すると、競技者がボールを打つ際、ボール拾い装置が邪魔になりやすい。すなわち、競技者がボールを打つ際、クラブのグリップ側の端部は、ちょうど競技者の腹部付近に位置することになる。このため、ボール拾い装置も、競技者の腹部付近に位置することになる。したがって、競技者がボールを打つ際、ボール拾い装置が競技者の腹部に干渉するおそれがある。
【０００５】
本考案の球技用スティックは、上記課題に鑑みて完成されたものである。したがって、本考案は、ボールを扱う際においては競技者の邪魔になりにくく、ボールを拾う際においては簡単にボールを拾うことができ、収容されたボールをボール拾い部から簡単に取り出すことが可能な球技用スティックを提供することを目的とする。
【課題を解決するための手段】
【０００６】
（１）上記課題を解決するため、本考案の球技用スティックは、球技の際ボールを扱うためのスティック本体と、該スティック本体のグリップ側の端部に配置され、弧状の線材からなる長弧把持爪と、該スティック本体の軸線を挟んで該長弧把持爪に対向して配置される弧状の線材からなる短弧把持爪と、を有するボール拾い部と、を備えてなり、該ボールを拾う際は、該ボールに対して該ボール拾い部を押しつけることにより、該長弧把持爪の先端と該短弧把持爪の先端との隙間から相対的に該ボールを挿入し、該長弧把持爪と該短弧把持爪とにより弾性的に該ボールを挟み込むことにより、該ボールを拾い上げ、該ボールを扱う際は、該長弧把持爪に対して、該短弧把持爪を、競技者の身体に近接して配置することにより、該ボール拾い部が該競技者の邪魔になるのを抑制することを特徴とする（請求項１に対応）。
【０００７】
本考案の球技用スティックによると、ボールを拾う際は、ボールに対してボール拾い部を押しつけることにより、長弧把持爪と短弧把持爪との間に弾性的にボールを挟み込むことができる。すなわち、簡単にボールをボール拾い部に収容することができる。
【０００８】
一方、ボールを扱う際（例えばボールを打つ際）は、長弧把持爪よりも短弧把持爪を、競技者の身体の近くに配置することにより、ボール拾い部が競技者のスイング等の邪魔になるのを抑制することができる。
【０００９】
また、長弧把持爪および短弧把持爪は、共に、線材（例えば、ワイヤ、針金、ピアノ線など）により形成されている。このため、ボール拾い部からボールを取り出す際において、競技者は、線材同士のあらゆる隙間から、簡単にボールを把持することができる。すなわち、ボール拾い部からボールを取り出す際の自由度が高い。よって、本考案の球技用スティックによると、拾ったボールをボール拾い部から簡単に取り出すことができる。
【００１０】
（２）好ましくは、上記（１）の構成において、前記長弧把持爪の前記先端から前記短弧把持爪の前記先端までの全長を１００％として、前記スティック本体の前記軸線は、該短弧把持爪の該先端から４０％以下の位置に配置されている構成とする方がよい（請求項２に対応）。
【００１１】
本構成によると、長弧把持爪の長さと短弧把持爪の長さとの比率が、長弧把持爪および短弧把持爪の全長を１０として、６以上：４以下（ただし合計は１０）になるように、設定されている。ここで、スティック本体の軸線を、短弧把持爪の先端から４０％以下の位置に配置したのは、４０％を越える位置に配置する場合、長弧把持爪と短弧把持爪との長さの違いが小さくなり、短弧把持爪を競技者の身体側に配置するメリットを享受しにくいからである。
【００１２】
（３）好ましくは、上記（１）または（２）の構成において、前記球技は、マレットゴルフである構成とする方がよい（請求項３に対応）。本構成は、本考案の球技用スティックを、マレットゴルフのクラブとして、用いるものである。近年、マレットゴルフは、高齢者の健康増進スポーツとして、人気が高まっている。しかしながら、高齢者の中には、足腰が弱い人が多い。このため、カップインしたボールやコースアウトしたボールを拾う動作が、足腰に過大な負担をかける場合がある。
【００１３】
この点、本構成によると、高齢者が、立ったままの姿勢、あるいは立ったままの姿勢に近い姿勢で、ボールを拾うことができる。このため、ボールを拾う際、足腰に負担がかかりにくい。
【考案の効果】
【００１４】
本考案によると、ボールを扱う際においては競技者の邪魔になりにくく、ボールを拾う際においては簡単にボールを拾うことができ、収容されたボールをボール拾い部から簡単に取り出すことが可能な球技用スティックを提供することができる。
【考案を実施するための最良の形態】
【００１５】
以下、本考案の球技用スティックを、マレットゴルフ用のクラブとして具現化した実施の形態について説明する。
【００１６】
［クラブの構成］
まず、本実施形態のクラブの構成について説明する。図１に、本実施形態のクラブの斜視図を示す。図２に、同クラブのボール拾い部の拡大斜視図を示す。図３に、同ボール拾い部の後面図を示す。
【００１７】
図１〜図３に示すように、クラブ１は、クラブ本体２と、ボール拾い部３と、を備えている。クラブ本体２は、本考案のスティック本体に含まれる。クラブ本体２は、全体として略Ｔ字状を呈している。クラブ本体２は、シャフト２０と、ヘッド２１と、を備えている。シャフト２０は、カーボンまたは金属製であって、丸棒状を呈している。シャフト２０の軸方向一端側には、競技者が把持するグリップ２００が配置されている。ヘッド２１は、カーボンまたは金属の混合製であって、短軸円柱状を呈している。ヘッド２１は、シャフト２０の軸方向他端に、Ｔ字路状に連なっている。
【００１８】
ボール拾い部３は、基部３０と、長弧把持爪３１と、短弧把持爪３２と、を備えている。基部３０は、金属製であって、短軸円柱状を呈している。基部３０は、シャフト２０のグリップ２００側の軸方向一端から突設されている。長弧把持爪３１は、ステンレス製のワイヤにより形成されている。長弧把持爪３１は、後方から見て、弧状を呈している。また、長弧把持爪３１は、右方から見て（図２参照）、略二等辺三角形状を呈している。長弧把持爪３１は、基部３０から延在している。短弧把持爪３２は、ステンレス製のワイヤにより形成されている。短弧把持爪３２は、後方から見て、弧状を呈している。また、短弧把持爪３２は、左方から見て（図２参照）、略二等辺三角形状を呈している。短弧把持爪３２は、基部３０から延在している。図３に示すように、短弧把持爪３２は、長弧把持爪３１と、クラブ本体２の軸線Ｌ１を挟んで、左右方向に対向している。短弧把持爪３２と長弧把持爪３１とは、後方から見て、略Ｃ字状に連なっている。図２に示すように、短弧把持爪３２と長弧把持爪３１との間には、ボールＢが把持、収容される。
【００１９】
図３に示すように、長弧把持爪３１の先端３１０から短弧把持爪３２の先端３２０までの全長を１００％として、クラブ本体２の軸線Ｌ１は、短弧把持爪３２の先端３２０から略３０％の位置に配置されている。すなわち、短弧把持爪３２全長Ｌ３と長弧把持爪３１全長Ｌ２との比は、略３：７に設定されている。また、長弧把持爪３１の先端３１０から短弧把持爪３２の先端３２０までの全長（全長Ｌ２＋全長Ｌ３）は、ボールＢの周長の１／２よりも長くなるように設定されている。
【００２０】
［ボールを拾う際の動き］
次に、本実施形態のクラブの、カップ内のボールを拾う際の動きについて説明する。図４に、本実施形態のクラブのボール拾い部のボールを拾う前の状態の後面図を示す。図５に、同ボール拾い部のボールを拾う途中の状態の後面図を示す。図６に、同ボール拾い部のボールを拾った後の状態の後面図を示す。
【００２１】
ボールＢを拾う前においては、図４に示すように、クラブ１を、ボール拾い部３側を先頭にして（つまりクラブ１を上下逆さまにして）、カップ９０に差し込む。そして、上方から、カップ９０内のボールＢにボール拾い部３を近づける。
【００２２】
ボールＢを拾う際においては、ボールＢに、長弧把持爪３１の先端３１０と、短弧把持爪３２の先端３２０と、を押しつける。こうすると、長弧把持爪３１の先端３１０と、短弧把持爪３２の先端３２０と、の間に、相対的にボールＢが挟み込まれる。この際、長弧把持爪３１および短弧把持爪３２は、基部３０を支点として、ボールＢの外周面に沿って移動しながら、外側に張り出すように弾性変形する。このため、長弧把持爪３１および短弧把持爪３２には、弾性復元力が蓄積されている。図５に示すように、ボール拾い部３をボールＢにさらに近づけることにより、相対的に、ボールＢは、ボール拾い部３に収容される。ボールＢの直径Ｄが、ボール拾い部３の内側（長弧把持爪３１の先端３１０、短弧把持爪３２の３２０よりも内側）に入ると、先端３１０、３２０から、ボールＢの外周面に対して、ボール拾い部３内にボールＢを取り込む方向に、前記弾性復元力が作用する。このため、さらに、ボール拾い部３の内側に、ボールＢが入り込む。したがって、ボールＢは、ボール拾い部３内から脱落しにくくなる。
【００２３】
ボールＢをカップ９０から取り出す際においては、図６に示すように、カップ９０から、ボールＢ収容済みのボール拾い部３を抜き出す。このようにして、本実施形態のクラブ１により、ボールＢを拾うことができる。
【００２４】
［作用効果］
次に、本実施形態のクラブ１の作用効果について説明する。本実施形態のクラブ１によると、ボールＢを拾う際は、ボールＢに対してボール拾い部３を押しつけることにより、長弧把持爪３１と短弧把持爪３２との間に弾性的にボールＢを挟み込むことができる。すなわち、簡単にボールＢをボール拾い部３に収容することができる。
【００２５】
一方、ボールＢを打つ際は、短弧把持爪３２を、競技者の身体側に配置することにより、ボール拾い部３が競技者のスイングの邪魔になるのを抑制することができる。
【００２６】
また、長弧把持爪３１および短弧把持爪３２は、共に、ワイヤにより形成されている。このため、ボール拾い部３からボールＢを取り出す際において、競技者は、ワイヤ同士のあらゆる隙間から、簡単にボールＢを把持することができる。すなわち、ボール拾い部３からボールＢを取り出す際の自由度が高い。よって、本実施形態のクラブ１によると、拾ったボールＢをボール拾い部３から簡単に取り出すことができる。
【００２７】
また、長弧把持爪３１および短弧把持爪３２が、共に、ワイヤにより形成されているため、競技者がスイングする際に、ボール拾い部３が受ける空気抵抗が小さい。したがって、ボール拾い部３がスイングに及ぼす影響が小さい。
【００２８】
また、本実施形態のクラブ１によると、短弧把持爪３２全長Ｌ３と長弧把持爪３１全長Ｌ２との比率が、略３：７になるように、設定されている。このため、競技者がスイングする際はボール拾い部３がスイングの邪魔になりにくい。その反面、カップ９０内やコースアウトしたボールＢを拾う際はボール拾い部３により、確実にボールＢを拾うことができる。
【００２９】
また、本実施形態のクラブ１によると、高齢者が、立ったままの姿勢、あるいは立ったままの姿勢に近い姿勢で、ボールＢを拾うことができる。このため、ボールＢを拾う際、足腰に負担がかかりにくい。
【００３０】
［その他］
以上、本考案の球技用スティックの実施の形態について説明した。しかしながら、実施の形態は上記形態に特に限定されるものではない。当業者が行いうる種々の変形的形態、改良的形態で実施することも可能である。
【００３１】
例えば、上記実施形態においては、マレットゴルフ用のクラブ１として、本考案の球技用スティックを用いたが、ゴルフ用のクラブ、パターゴルフ用のクラブ、ゲートボール用のスティック、ポロ用のスティックなどとして、本考案の球技用スティックを用いてもよい。
【００３２】
また、上記実施形態においては、図３に示すように、短弧把持爪３２全長Ｌ３と長弧把持爪３１全長Ｌ２との比を略３：７に設定したが、当該比を略４：６、略２：８、略１：９などと設定してもよい。
【００３３】
また、ボールＢ収容時において、長弧把持爪３１、短弧把持爪３２の全体がボールＢに接触していなくてもよい。例えば、長弧把持爪３１の先端３１０、短弧把持爪３２の先端３２０、基部３０の突端だけで、ボールＢを支持していてもよい。
【図面の簡単な説明】
【００３４】
【図１】本考案の球技用スティックの一実施形態となるクラブの斜視図である。
【図２】同クラブのボール拾い部の拡大斜視図である。
【図３】同ボール拾い部の後面図である。
【図４】同ボール拾い部のボールを拾う前の状態の後面図である。
【図５】同ボール拾い部のボールを拾う途中の状態の後面図である。
【図６】同ボール拾い部のボールを拾った後の状態の後面図である。
【符号の説明】
【００３５】
１：クラブ（球技用スティック）、２：クラブ本体（スティック本体）、３：ボール拾い部、２０：シャフト、２１：ヘッド、３０：基部、３１：長弧把持爪、３２：短弧把持爪、９０：カップ、２００：グリップ、３１０：先端、３２０：先端。
Ｂ：ボール、Ｄ：直径、Ｌ１：軸線、Ｌ２：全長、Ｌ３：全長。
【図１】
0003144793.tif 000003
【図２】
0003144793.tif 000004
【図３】
0003144793.tif 000005
【図４】
0003144793.tif 000006
【図５】
0003144793.tif 000007
【図６】
0003144793.tif 000008